(57)【特許請求の範囲】
【請求項１】
列状の第１発光部と前記第１発光部の列の延長上に配される列状の第２発光部を有する第１照明灯と、前記第２発光部の列の延長上に配される列状の第３発光部と前記第３発光部の列の延長上に配される列状の第４発光部を有する第２照明灯と、前記第１発光部と前記第２発光部を異なった発光態様とするとともに前記前記第２発光部と前記第３発光部を同じ発光態様に制御させる制御部とを有することを特徴とする照明装置。
【請求項２】
異なった位置に配置される複数の測光部と、前記複数の測光部の測光結果に基づき前記制御部による制御内容を指令する司令部とを有することを特徴とする請求項１記載の照明装置。
【請求項３】
目標位置の決定手段と、前記決定手段によって決定された目標位置を中心とする照明態様となるよう前記制御部による制御内容を指令する司令部とを有することを特徴とする請求項１または２記載の照明装置。
【請求項４】
前記司令部は、前記目標位置を中心に目標位置から遠い部分の照明を担当する発光部の発光量を落とすよう前記制御部に指令することを特徴とする請求項３記載の照明装置。
【請求項５】
前記目標位置の決定手段は、人の存否を感知する手段であることを特徴とする請求項３または４記載の照明装置。
【請求項６】
前記第１発光部、前記第２発光部、前記第３発光部および前記第４発光部は、それぞれＬＥＤ群を有することを特徴とする請求項１から５のいずれかに記載の照明装置。
【発明の詳細な説明】
【技術分野】
【０００１】
本発明は、照明灯および照明装置に関する。
【背景技術】
【０００２】
天井照明や壁面照明のためには通常長管形の蛍光灯が用いられる。また、ライン状の照明の継ぎ目を感じさせないために例えば間接照明などにおいては、直接目視できない溝部内において長管形の蛍光灯の端部を重ねて配置することも行われている。さらに、長管形の蛍光灯自体の構造を工夫して端部まで発光するようにし、蛍光灯をライン状に配列しても継ぎ目を感じさせないようにすることも提案されている。（特許文献１）一方、近年ＬＥＤの利用が進む中で、白色ＬＥＤを蛍光灯と互換可能に構成して一般の天井照明に用いることも提案されている。(特許文献２)
【先行技術文献】
【特許文献】
【０００３】
【特許文献１】特開２００８−２８２７４３号公報
【特許文献２】特開２００４−３３５４２６号公報
【発明の概要】
【発明が解決しようとする課題】
【０００４】
しかしながら、照明の現場においては多様な要請があり、これに応えるためにはまだ種々検討すべき課題が多い。
【０００５】
本発明の課題は、上記に鑑み、照明における実際上の種々の要請に応えることが可能な照明灯および照明装置を提供することにある。
【課題を解決するための手段】
【０００６】
上記課題を解決するため、本発明は、第１ＬＥＤ群と、第１ＬＥＤ群とは異なった領域に配される第２ＬＥＤ群と、第1ＬＥＤ群の点灯を制御する第１制御部と、第２ＬＥＤ群の点灯を制御する第２制御部と、第１ＬＥＤ群と第２ＬＥＤ群を互いに独立して制御するための制御信号を第１制御部と第２制御部に外部から入力する信号入力部とを有する照明灯を提供する。これによって単一の照明灯を複数の部分に分割して互いに独立して制御することが可能となる。この特徴は特に、第１ＬＥＤ群が列状に配される複数のＬＥＤを有するとともに、第２ＬＥＤ群は第１ＬＥＤ群の列の延長線上に列状に配される複数のＬＥＤを有する場合に好適であり、列状に配されたＬＥＤ群を有する照明灯の途中から発光態様を変えることができる。
【０００７】
本発明の具体的な特徴によれば第１ＬＥＤ群および第１制御部に給電する第１電源部と、第２ＬＥＤ群および第２制御部に給電する第２電源部が照明灯に設けられる。この特徴によれば、電源部単位で独立に制御を行うことができ、現実的である。また、他の具体的な特徴によれば、第１ＬＥＤ群および第１制御部を実装する第1基板と、第２ＬＥＤ群および前記第２制御部を実装する第２基板とが照明灯に設けられる。この特徴によれば基板単位で独立に制御を行うことができ、好適である。さらに、他の具体的な特徴によれば、第１ＬＥＤ群は直列接続された複数のＬＥＤを有し、第２ＬＥＤ群は第１ＬＥＤ群とは別に直列接続された複数のＬＥＤを有する。この特徴によれば、ＬＥＤの直列接続という最終単位毎にきめ細かく制御を行うことが可能となる。
【０００８】
本発明の他の特徴によれば、列状の第１発光部と第１発光部の列の延長上に配される列状の第２発光部と、第1発光部の点灯を制御する第１制御部と、第２発光部の点灯を制御する第２制御部と、第１発光部と第２ＬＥＤ群を互いに独立して制御するための制御信号を第１制御部と第２制御部に外部から入力する信号入力部とを有する照明灯が提供される。このように、本発明によれば、特に列状の発光部を有する照明灯を途中から発光態様を変えて制御することが可能となり、照明灯を多様な態様で点灯させ、状況に最適の照明を実現することができる。
【０００９】
本発明の他の特徴によれば、列状の第１発光部と第１発光部の列の延長上に配される列状の第２発光部を有する第１照明灯と、第２発光部の列の延長上に配される列状の第３発光部と前記第３発光部の列の延長上に配される列状の第４発光部を有する第２照明灯と、前記第１発光部と前記第２発光部を異なった発光態様とするとともに前記前記第２発光部と前記第３発光部を同じ発光態様に制御可能な制御部とを有する照明装置が提供される。この特徴によれば、第１照明灯の途中から発光態様を変えるとともに第１照明灯から第２照明灯との間は継ぎ目のない連続した一本の照明灯として連続しているような発光態様が可能となり、照明灯を多様な態様で点灯させ、状況に最適の照明を実現することができる。
【００１０】
本発明の他の特徴によれば、複数の発光部と、複数の発光部を互いに独立して制御する制御部と、異なった位置に配置される複数の測光部と、複数の測光部の測光結果に基づき制御部による制御内容を指令する司令部とを有する照明装置が提供される。この特徴によれば、照明対象の測光により照明灯を多様な態様で点灯させ、状況に最適の照明を実現することができる。例えば、昼間において外光が入っている窓際の照明を落とすとともに外光が届きにくい室内側の照明を強くし、部屋全体として均一な照明を行うことなどが可能となる。なお、複数の測光部が複数の発光部にそれぞれ近接して配置される場合は構成が容易となるが発光部自身の発光による測光部への影響を補正するために補正手段を設ける。また、複数の測光部を複数の発光部によりそれぞれ照明される位置する場合は外光と発光部による照明の両者の影響を直接測定することが可能となる。
【００１１】
本発明の他の特徴によれば、複数の発光部と、複数の発光部を互いに独立して制御する制御部と、目標位置の決定手段と、決定手段によって決定された目標位置を中心とする照明態様となるよう制御部による制御内容を指令する司令部とを有する照明装置が提供される。これによって照明灯を多様な態様で点灯させ、状況に最適の照明を実現することができる。上記本発明の具体的な特徴によれば、司令部は、目標位置を中心に目標位置から遠い部分の照明を担当する発光部の発光量を落とすよう前記制御無に指令する。これによって広い部屋等であっても照明の必要性に応じた照明が可能となる。上記本発明の具体的な特徴によれば、目標位置の決定手段は、人の存否を感知する手段であり、室内の人の入るところを重点的に照明することが可能となる。
【発明の効果】
【００１２】
上記のように本発明によれば、照明灯を多様な態様で点灯させることが可能となり、状況に最適の照明を実現することができる。
【図面の簡単な説明】
【００１３】
【図１】本発明の照明装置の実施例１の種々の点灯状態における外観図である。（実施例１）
【図２】実施例１の照明装置を天井に設置した際の配置図である。
【図３】実施例１の要部断面を模式的に示したブロック図である。
【図４】実施例１のＬＥＤ照明灯の詳細構成を示すブロック図である。
【図５】実施例１の白色ＬＥＤ群等の詳細構成を示すブロック図である。
【図６】実施例１のリモコンの詳細構成を示すブロック図である。
【図７】実施例１における照明制御部の機能を示すフローチャートである。
【図８】実施例１におけるリモコン制御部の機能を示す基本フローチャートである。
【図９】図８のステップＳ４８の詳細を示すフローチャートである。
【図１０】図８のステップＳ６４詳細を示すフローチャートである。
【図１１】図８のステップＳ６８の詳細を示すフローチャートである。
【図１２】本発明の実施例２のＬＥＤ照明灯の詳細構成を示すブロック図である。（実施例２）
【図１３】本発明の実施例３のＬＥＤ照明灯の詳細構成を示すブロック図である。（実施例３）
【図１４】本発明の実施例４における点灯態様を示す照明装置の天井配置図である。（実施例４）
【図１５】本発明の実施例５の要部を模式的に示したブロック図である。（実施例５）
【図１６】実施例５における照明制御部の機能を示すフローチャートである。
【図１７】図１６のステップＳ１６４の詳細を示すフローチャートである。
【図１８】本発明の実施例６の要部を模式的に示したブロック図である。（実施例６）
【図１９】本発明の実施例７における点灯態様を示す照明装置の天井配置図である。（実施例７）
【図２０】実施例７の要部を模式的に示したブロック図である。
【発明を実施するための形態】
【実施例１】
【００１４】
図１は、本発明の実施の形態に係る照明装置の実施例１における種々の点灯状態における外観図である。図１（Ａ１）はライン状のＬＥＤ照明灯２、４および６が一直線に配置され、全て点灯している様子を示す。各ＬＥＤ照明灯２、４および６は、それぞれ内部に多数の白色ＬＥＤ８、１０および１１等が一列に配置されており、これをそれぞれ透過拡散性のカバーが覆う構造となっている。なお、図１（Ａ１）では白色ＬＥＤ８、１０および１１等を模式的に大きく図示しているが、実際には各ＬＥＤ照明灯２、４および６にはもっと多くの白色ＬＥＤ（例えば２８８個）が列状に配置されている。
【００１５】
また、各ＬＥＤ照明灯２、４および６は互いに端部同士が密接して配置されているので、例えばＬＥＤ照明灯２の図上左端の白色ＬＥＤ１０はＬＥＤ照明灯４の右端の白色ＬＥＤ１１と近接した位置で発光し、且つ個々の透過拡散性のカバーのために個々の白色ＬＥＤは識別できないので、各ＬＥＤ照明灯２、４および６は継ぎ目のない連続した一本のＬＥＤ照明灯のように発光する。
【００１６】
図１（Ａ２）はＬＥＤ照明灯２、４および６が全て消灯している様子を示す。このように、実施例１における最も単純な点灯状態は、図１（Ａ１）と図１（Ａ２）との間でＬＥＤ照明灯２、４および６が全体として一本のＬＥＤ照明灯のように点灯または消灯するものである。実施例１はまた、ＬＥＤ照明灯毎の点灯制御も可能である。図（Ａ３）はその一例であって、ＬＥＤ照明灯２が消灯されているとともにＬＥＤ照明灯４、６は消灯されている。図（Ａ３）のような点灯は、例えば講演会場の照明において、ＬＥＤ照明灯６側にプロジェクタの投影スクリーンがあり、ＬＥＤ照明灯２側に聴講者の座席があって、メモをとるための照明が必要な場合などに好適である。
【００１７】
本発明の実施例１では、さらに、各ＬＥＤ照明灯２、４および６内の白色ＬＥＤがそれぞれ６つの区分毎に独立して点灯制御可能となっている。その詳細は後述する。上記のように、実施例１では各ＬＥＤ照明灯２、４および６は継ぎ目のない一本のＬＥＤ照明灯のように発光するので、その一部を点灯させる場合、点灯と消灯の区切りは必ずしも図１（Ａ３）のようにＬＥＤ照明灯の境目である必要はなく、ＬＥＤ照明灯の途中であってもよい。図１（Ｂ１）から（Ｂ３）はこの様子を示したものである。
【００１８】
例えば、図１（Ｂ１）は、ＬＥＤ照明灯４および６とともにＬＥＤ照明灯２の左から１／６を消灯させ、ＬＥＤ照明灯２の残りの５／６を点灯させたものである。また、図１（Ｂ２）は、ＬＥＤ照明灯６とともにＬＥＤ照明灯４の左から４／６を消灯させ、ＬＥＤ照明灯４の残りの２／６をＬＥＤ照明灯２とともに点灯させたものである。ここで注目すべきは、ＬＥＤ照明灯２とＬＥＤ照明灯４の点灯部分が継ぎ目なく点灯して見えることである。還元すれば、ＬＥＤ照明灯２、４および６は継ぎ目のない一本のＬＥＤ照明灯のごとく機能し、その点灯と消灯の区切りはＬＥＤ照明灯４の途中の部分となっていることである。同様に、図１（Ｂ３）は、ＬＥＤ照明灯６の左から２／６を消灯させ、ＬＥＤ照明灯６の残りの４／６をＬＥＤ照明灯４および２とともに点灯させたものである。この場合、点灯と消灯の区切りはＬＥＤ照明灯６の途中の部分となる。
【００１９】
上記のように、実施例１は、ＬＥＤ照明灯間の継ぎ目がないように発光させるとともに各ＬＥＤ照明灯内の白色ＬＥＤを複数に区分して独立制御可能とすることにより、点灯と消灯の区切をフレキシブルに制御できる。これは、例えば上記のプロジェクタの投影スクリーンがある講演会場の照明において、会場の条件に応じた最適の照明を可能とする。なお、このような制御においては、点灯と消灯の区切が偶々図１（Ａ３）のようにＬＥＤ照明灯間の境目となることを妨げない。つまり、点灯と消灯の区切という観点からは、ＬＥＤ照明灯間の境目とＬＥＤ照明灯の途中は全く等価である。実際の点灯と消灯の区切の変更は、後述のように、直線方向に移動可能なレバーをリモートコントローラに設け、これをＬＥＤ照明２から６の列方向に対応してスライドさせることにより容易に操作可能である。
【００２０】
本発明の実施例１は、さらに、ＰＷＭ（パルス幅変調）制御により点灯時の明るさを調光可能であり、かつその調光をＬＥＤ照明灯単位だけでなく上記の各ＬＥＤ照明灯内の白色ＬＥＤの６つの区分毎に独立して制御可能である。従って、図１（Ａ１）のように全てのＬＥＤ照明灯２、４および６を点灯させた場合においてその明るさを全体的に調節できるほか、ＬＥＤ照明灯の列方向にグラデーションをつけて調光することが可能である。図１（Ｃ１）から図１（Ｃ３）はその様子を図示したものである。
【００２１】
図１（Ｃ１）は、ＬＥＤ照明灯単位でグラデーションをつけた例であり、ＬＥＤ照明灯２はデューティー１００％、ＬＥＤ照明灯４はデューティー５０％、ＬＥＤ照明灯６はデューティー２５％でそれぞれ制御している。換言すれば、デューティー変化の区切りがＬＥＤ照明灯の境目になっている例である。これに対し、図１（Ｃ２）は、各ＬＥＤ照明灯内の白色ＬＥＤの６つの区分毎の独立制御によりグラデーションをつけた例である。つまり、ＬＥＤ照明灯２の右から５／６はデューティー１００％、ＬＥＤ照明灯２の残り１／６とＬＥＤ照明灯４の右から４／６はデューティー５０％、ＬＥＤ照明灯４の残り２／６とＬＥＤ照明灯６の右から４／６はデューティー２５％、ＬＥＤ照明灯６の残り２／６はデューティー１３％でそれぞれ制御している。換言すれば、デューティー変化の区切りがＬＥＤ照明灯の途中になっている例である。この場合も、デューティーが同じＬＥＤ照明灯同士の境目は継ぎ目なく連続している。
【００２２】
図１（Ｃ３）は、図１（２）と同様にして、デューティー変化の区切りがＬＥＤ照明灯の途中になっている例であるが、一方向にデューティーが変化するのではなく、一連のＬＥＤ照明灯２、４および６において中央から両端に向かってだんだん明るさが小さくなるような調光が行われている。また、ＬＥＤ照明灯２および６において、デューティー変化の区切りがＬＥＤ照明灯の途中においてそれぞれ二箇所生じている。
【００２３】
図１（Ｃ１）から図（Ｃ３）のようなグラデーション調光は、日中における窓のある部屋の照明に好適である。図１（Ｃ１）および図（Ｃ２）はいずれも、図において部屋の左側に窓があり、外部からの採光が可能な窓近くでは照明を落とし、部屋全体の明るさを均一にするとともに節電を図るものである。同様のことは図１（Ａ１）および図（Ｂ１）か図（Ｂ３）のような制御により窓近くのＬＥＤ照明灯またはその一部分を完全に消灯することによっても大まかには可能であるが、完全な消灯は部屋のイメージを暗くすることもあるので、図１（Ｃ１）や図（Ｃ２）のようなグラデーション調光が可能であることは部屋の明るさを均一にするとともに心理上も有益である。なお、図１（Ｃ３）のようなグラデーション調光は部屋の両側に窓がある場合に好適である。
【００２４】
図２は、実施例１の照明装置を天井に設置した際の配置図であり、天井１３を下から見上げた状態を図示している。図２（Ａ１）は、図１における図１（Ａ１）の状態に対応するもので、天井１３に配置されたＬＥＤ照明灯が全て点灯している様子を示す。図２（Ａ１）において、天井１３には、ＬＥＤ照明灯２、４および６の列に加え、ＬＥＤ照明灯１２、１４および１６の列、さらにはＬＥＤ照明灯２２、２４および２６の列の合計３列のＬＥＤ照明灯が配置されている。各ＬＥＤ照明灯は後述する保持部によってそれぞれ天井１３に設置され、後述する配線によりそれぞれ給電されている。
【００２５】
また、ＬＥＤ照明灯２、４および６が設置される天井１３の保持部にはそれぞれ対応してＩＣタグ１８、１９および２０が設けられている。同様に、ＬＥＤ照明灯１２、１４および１６にそれぞれ対応してＩＣタグ１８、１９および２０が、さらにＬＥＤ照明灯２２、２４および２６にそれぞれ対応してＩＣタグ３８、３９および４０がそれぞれ設けられている。ＩＣタグ１８、１９、２０、２８、２９、３０、３８、３９および４０には二種の情報が格納されている。その一つはＩＣタグ固有のＩＤであり、他の一つはＬＥＤ照明灯を制御するための制御信号のチャンネルである。例えば、ＩＣタグ１８、２８および３８には第1チャンネルが、ＩＣタグ１９、２９および３９には第２チャンネルが、また、ＩＣタグ２０、３０および４０には第３チャンネルが設定され記憶されている。チャンネル設定方法の詳細については後述する。
【００２６】
後述のように各ＬＥＤ照明灯にはＩＣタグリーダライタが設けられており、ＬＥＤ照明灯が保持部に取り付けられた際、その取り付け位置のＩＣタグよりチャンネル情報を読み取る。具体的には、上記のＩＣタグの格納情報に基づく場合、ＬＥＤ照明灯２、１２および２２は第1チャンネルを、ＬＥＤ照明灯４、１４および２４は第２チャンネルを、ＬＥＤ照明灯６、１６および２６は第３チャンネルを読み取る。づまり、図２の縦方向に同じ列にあるＬＥＤ照明灯には同じチャンネルが読み取られることになる。このようにして決められた各ＬＥＤ照明灯のチャンネルに基づき、後述するようにリモコンから各チャンネル毎に点灯状態を制御する信号が送信される。図２（Ａ１）は、全てのチャンネルを通じてデューティー１００％での全点灯信号が送信された結果のものである。
【００２７】
図２（Ｂ２）は、図１における図１（Ｂ２）の状態に対応するもので、３列のＬＥＤ照明灯列の図２の右側がＬＥＤ照明灯４、１４、２４のそれぞれ途中を区切りとして点灯している様子を示す。このような点灯状態とするためには、チャンネル１を通じてデューティー１００％での全点灯信号を送信し、チャンネル２を通じて右側４／６のみをデューティー１００％で点灯させる信号を送信するとともに、チャンネル３では消灯信号を送信する。これらの各チャンネルの信号の送信は、望む点灯状態を決定すれば自動的に行われるので、個別に手動で送信操作をする必要はない。図１でも述べたように、図２（Ｂ２）のような点灯状態は、図２の左側にプロジェクタの投影スクリーンがあり右側に聴講者の座席がある講演会場の照明等において好適である。
【００２８】
図２（Ｃ２）は、図１における図１（Ｃ２）の状態に対応するもので、３列のＬＥＤ照明灯列の図２の右側に行くほど徐々に暗くなるようなグラデーション照明が行われている様子を示す。このような点灯状態とするためには、チャンネル１を通じて右側５／６がデューティー１００％となるとともに残りがデューティー５０％となる点灯信号を送信し、チャンネル２を通じて右側４／６がデューティー５０％となるとともに残りがデューティー２５％となる点灯信号を送信し、チャンネル３を通じて右側４／６がデューティー２５％となるとともに残りがデューティー１３％となる点灯信号をそれぞれ送信する。これらの各チャンネルの信号の送信も望むグラデーション状態を決定すれば自動的に行われるので、個別に手動で送信操作をする必要はない。図１でも述べたように、図２（Ｃ２）のような点灯状態は、図２の左側に窓があるような部屋の照明等において好適である。
【００２９】
図３は、実施例１の要部断面を模式的に示したブロック図であり、ＬＥＤ照明灯４を中心に図示している。また、図１、図２と同一の部分には同一の番号を付す。天井１３には保持部５２が取り付けられており、その内部を配線５４が巡っている。また、図２でも述べたように、保持部５２にはＬＥＤ照明灯４、６などの取り付け場所にそれぞれ対応してＩＣタグ１９、２０などが設けられている。
【００３０】
保持部５２に交換可能に取り付けられるＬＥＤ照明灯４は、白色ＬＥＤ群５６を含む発光部５８を有し、配線５４に接続される電源部６０から給電されている。白色ＬＥＤ群５６は、図１の白色ＬＥＤ１１などを総称したものである。なお、図示は省略しているが、電源部６０は照明制御部６２、無線通信部６４、ＩＣタグリーダライタ６６などＬＥＤ照明灯４内の他の部分にもそれぞれ必要な電圧を供給している。照明制御部６２は、無線通信部６４が受信するリモコン信号に基づいて発光部の点灯状態を制御する。
【００３１】
照明制御部６２は、ＬＥＤ照明灯の制御のためのプログラムおよび必要なデータを記憶しておくための記憶部を有する。なお、無線通信部６４が受信するリモコン信号は赤外線通信やＺｉｇｂｅｅ（商標）などのＷＰＡＮ（Ｗｉｒｅｌｅｓｓ  Ｐｅｒｓｏｎａｌ  Ａｒｅａ  Ｎｅｔｗｏｒｋ）に基づくものである。また、ＩＣタグリーダライタ６６はＬＥＤ照明灯４が保持部５２に取り付けられたとき、ＩＣタグ１９と交信し、ＩＣタグ固有のＩＤを読み取るとともに、チャンネルが格納されている場合にはこれも読み取って記憶する。また、ＩＣタグ１９にチャンネルが格納されていない場合にはＩＣタグリーダライタ６６からこれを書き込む。これらの機能の詳細は後述する。
【００３２】
リモコン６８は、各ＬＥＤ照明灯を操作するための操作部７０を有する。リモコン制御部７２は操作部７０による手動操作に基づいて無線制御部７４にリモコン信号の送信を指示する。リモコン制御部７２は、リモコン制御のためのプログラムおよび必要なデータを記憶しておくための記憶部を有する。各ＬＥＤ照明灯の無線通信部６４は、リモコン６８からのリモコン信号を受けて照明制御部６２に伝達する。他のＬＥＤ照明灯２、６等も上記に説明したＬＥＤ照明灯４と同様の構成を持ち、それぞれ配線５４から給電されるとともに、リモコン６８からのリモコン信号によって制御される。
【００３３】
図４は、実施例１のＬＥＤ照明灯の詳細構成を示すブロック図であり、図３と共通の部分には同一番号を付す。白色ＬＥＤ群５６は、第１ＬＥＤ群８２、第２ＬＥＤ群８４、第３ＬＥＤ群８６、第４ＬＥＤ群８８、第５ＬＥＤ群９０および第６ＬＥＤ群９２の６つに区分されている。これは、図１で説明した発光の部分制御を可能とするためである。また、電源部６０は二つに区分されており、第１電源部９４は、第１ＬＥＤ群８２、第２ＬＥＤ群８４および第３ＬＥＤ群８６に給電する。一方、第２電源部９６は、第４ＬＥＤ群８８、第５ＬＥＤ群９０および第６ＬＥＤ群９２に給電している。
【００３４】
第１ＬＥＤ群８２、第２ＬＥＤ群８４、第３ＬＥＤ群８６、第４ＬＥＤ群８８、第５ＬＥＤ群９０および第６ＬＥＤ群９２は、それぞれスイッチ素子９８、１００、１０２、１０４、１０６および１０８を介して定電流源１１０、１１２、１１４、１１６、１１８および１２０に接続されている。これによって、スイッチ素子９８、１００、１０２、１０４、１０６および１０８をそれぞれ個別に制御すれば、第１ＬＥＤ群８２、第２ＬＥＤ群８４、第３ＬＥＤ群８６、第４ＬＥＤ群８８、第５ＬＥＤ群９０および第６ＬＥＤ群９２の点灯状態を個別に制御できる。
【００３５】
スイッチ素子９８、１００、１０２、１０４、１０６および１０８は、それぞれＰＷＭ制御部１２２、１２４、１２６、１２８、１３０および１３２によりパルス駆動されており、それぞれのＰＷＭ制御におけるデューティーサイクルを１００％からゼロの間で変更することによりフル点灯から消灯の間で第１ＬＥＤ群８２、第２ＬＥＤ群８４、第３ＬＥＤ群８６、第４ＬＥＤ群８８、第５ＬＥＤ群９０および第６ＬＥＤ群９２の明るさを独立に調光できる。
【００３６】
ＰＷＭ制御部１２２、１２４および１２６にそれぞれ個別に与えられるデューティーサイクルは第1個別デューティー制御部１３４が制御する。一方、ＰＷＭ制御部１２８、１３０および１３２にそれぞれ個別に与えられるデューティーサイクルは第２個別デューティー制御部１３６が制御する。第1個別デューティー制御部１３４および第２個別デューティー制御部１３６はそれぞれ照明制御部６２によって制御されている。以上の構成により、無線通信部６４から伝えられるリモコン信号に基づき、第１ＬＥＤ群８２、第２ＬＥＤ群８４、第３ＬＥＤ群８６、第４ＬＥＤ群８８、第５ＬＥＤ群９０および第６ＬＥＤ群９２の点灯と消灯および点灯時の明るさが個別に制御でき、図１に示したようなＬＥＤ照明灯の途中を区切りとした点灯制御が可能となる。
【００３７】
図５は、実施例１の白色ＬＥＤ群等の詳細構成を示すブロック図であり、図４と共通の部分には同一番号を付す。なお、図５には第１電源部９４が担当する部分だけを図示しているが、第２電源部が担当する部分も同様の構成である。図５に示すように各白色ＬＥＤ群に関連する構成はそれぞれ一つの基板上にまとめられている。具体的には、第１ＬＥＤ群８２に関する構成は第１基板１３８に、第２ＬＥＤ群８４に関する構成は第２基板１４０に、第３ＬＥＤ群８６に関する構成は第３基板１４２に実装されている。つまり、一つのＬＥＤ照明灯の点灯および消灯ならびに点当時の明るさの独立制御は基板毎に６つに区分して行われている。
【００３８】
また、図５に示すように、各基板内の各ＬＥＤ群は、白色ＬＥＤ直列接続１４４等を４本並列接続した回路構成となっている。直列接続ＬＥＤ１４４等はそれぞれ１２個の白色ＬＥＤを直列接続したものである。この結果、第１電源部９４は１２個の白色ＬＥＤの直列接続を３つの基板の合計で全体として１２列分並列接続した回路構成となる。なお、個々の白色ＬＥＤは電気的な直列接続または並列接続に関わらず、機械的にはＬＥＤ照明灯内で一列に配置されている。この結果、第１ＬＥＤ群８２から第６ＬＥＤ群９２まで連続して２８８個の白色ＬＥＤがＬＥＤ照明灯内で一列に配置されることになる。そして、既に述べたように、その両端の白色ＬＥＤは隣のＬＥＤ照明灯の端部の白色ＬＥＤと近接した配置なになるので、境目のないライン状の証明が可能となる。
【００３９】
図６は、実施例１のリモコン６８の詳細構成を示すブロック図であり、図３と共通の部分には同一番号を付す。点灯操作にあたっては、操作部７０のオンボタン１４６を押すとリモコン操作部７２は無線通信部７４から全てのチャンネルについてデューティー１００％の点灯を指示するリモコン信号を送信する。同様に、オフボタン１４８を押すとリモコン操作部７２は無線通信部７４から全てのチャンネルについて消灯を指示するリモコン信号を送信する。
【００４０】
また、分割ボタン１５０を押すと、リモコン操作部７２は無線通信部７４からそれぞれのチャンネルに分割点灯のためのリモコン信号を送信する。具体的には、ガイド１５２に沿って図面の左右方向にスライド操作可能な第１スライダ１５４の右側に対応するＬＥＤ照明灯部分がデューティー１００％で点灯し、左側に対応するＬＥＤ照明灯部分が消灯するよう各チャンネルにリモコン信号を送信する。第１スライダ１５４による点灯部分と消灯部分の区分は、図１の（Ａ３）、（Ｂ１）、（Ｂ２）および（Ｂ３）等に対応する。なお、スライドレバー自体は無段階にスライド可能であるが、区分がＬＥＤ照明党の途中になる場合は、ガイド１５２に設けられた接点部分によって６分割のうちの最も近い分割点が検出される。
【００４１】
さらに、グラデーションボタン１５６を押すと、リモコン操作部７２は無線通信部７４からそれぞれのチャンネルにグラデーション点灯のためのリモコン信号を送信する。具体的には、第１スライダ１５４の左側が徐々に暗くなるグラデーションの始点となるようなリモコン信号を各チャンネルにリモコン信号を送信する。第１スライダ１５４によるグラデーション制御は、図１の（Ｃ１）または、（Ｃ２）に対応する。
【００４２】
以上のような、片側を消灯またはグラデーションとする制御を行う場合では、第２スライダ１５８は左端に退避させておく。これに対し、第２スライダ１５８を退避位置からガイド１５２内に出すと、第１スライダ１５４と第２スライダ１５８の内側がデューティー１００％で点灯するとともに、これらの外側が消灯または第１スライダ１５４と第２スライダを始点として徐々に暗くなるようなリモコン信号が送信される。第２スライダがガイド１５２内に出ている時にグラデーションボタン１５６を押したときの点灯状況は図１（Ｃ３）に対応する。なお、分割またはグラデーション点灯状態にあるとき第１スライダ１５４または第２スライダ１５８をスライド操作すると、これに応じて基準点を代えるためのリモコン信号が自動的に送信される。
【００４３】
反転ボタン１６０は、以上のような第１スライダ１５４または第２スライダ１５８を基準とする上記のような点灯関係を反転させる時に押される。従って、第２スライダ１５８が対比しているときに反転ボタン１６０を押すと第１スライダ１５４の左側がデューティー１００％で点灯する。また、第２スライダ１５８がガイド１５２内に出ているときに反転ボタン１６０を押すと、第１スライダ１５４と第２スライダ１５８の外側がデューティー１００％で点灯するようになる。
【００４４】
以上はＬＥＤ照明灯のチャンネルが設定済みであることを前提としたものであるが、次に天井にＬＥＤ照明灯を設置した初期に行うチャンネル設定について説明する。チャンネル設定はセットボタン１６２を押すことによって行われる。またリセットボタン１６４を押すとチャンネル設定がリセットされる。これらのセットボタン１６２およびリセットボタン１６４は、チャンネル設定後には通常使用する必要がないので誤操作を防止するたに操作部蓋１６６によって覆われている。なお、一度行ったチャンネル設定はＩＣタグに記憶されるので、次回ＬＥＤ照明灯を取り替えたときは、特に設定操作を行わなくても、ＩＣタグからその位置に対応するチャンネルがＬＥＤ照明灯によって読み取られる。
【００４５】
ＩＣタグへのチャンネル設定は、実施例１におけるＬＥＤ照明灯制御に不可欠なので、これが未設定状態にある限り表示部１６８に「チャンネル未設定」表示１７０が表示され続け、チャンネル設定を促す。設定が完了すれば、「チャンネル未設定」表示１７０は消える。セットボタン１６２が押されると表示部１６８に天井レイアウト表示１７２が表示される。これは、図２に対応するものであり、天井に設置されるＩＣタグの配置をＬＥＤ照明灯のシンボル１７４で示したものである。そして各シンボル近傍にはチャンネル設定状態表示１７６、１７８等が表示される。因みにチャンネル設定状態表示１７６はＩＣタグに「チャンネル１」が設定されていることを示し、チャンネル設定状態表示１７８の「？」はＩＣタグがチャンネル未設定状態であることを示す。
【００４６】
チャンネル未設定のＩＣタグが一つでもあると、表示部１６８に「次ＩＣタグＩＤ選択」表示１８０が表示される。表示部６８はタッチパネルになっているので、「次ＩＣタグＩＤ選択」表示１８０の部分を押すとチャンネル未設定状態にあるＩＣタグが一つ選択される。保持部５２の施工の際にはＩＣタグ位置とＩＤとの関係の管理は行わないので、選択されたＩＣタグが天井のどこにあるかは不明である。
【００４７】
しかしながらチャンネル設定状態では、「次ＩＣタグＩＤ選択」表示１８０の部分を押すことによって選択されたＩＣタグに対応する位置にあるＬＥＤ照明灯だけが点灯するので、選択されたＩＣタグの位置を知ることができる。そして天井の点灯状態を見て、選択されたＩＤがチャンネル設定状態表示１７８に対応することがわかれば、チャンネル指定部表示１８２の「３」を押すことによってこの部分にチャンネル３を設定することができる。この設定操作によってチャンネル設定状態表示１７８において設定された「３」が点滅するので、間違いなければ「３」が点滅している設定状態表示１７８を押せばこの部分のチャンネル設定が確定する。以上の操作を繰返し、すべてのチャンネル設定状態表示が「？」からチャンネル数字に変わるとチャンネル設定は完了であり、これに対応して「次ＩＣタグＩＤ選択」表示１８０およびチャンネル指定表示１８２が消える。また上記のように、「チャンネル未設定」表示１７０も消える。
【００４８】
図７は、図３の実施例１におけるＬＥＤ照明灯４の照明制御部６２の機能を示すフローチャートである。フローはＬＥＤ照明灯を保持部５２に取り付けることによってスタートする。フローがスタートすると、まずステップＳ２でＩＣタグ１９にチャンネルデータが書込み済みであるかどうかチェックする。そして書込み済みでなければステップＳ４でチャンネル設定信号がリモコンから受信しているかどうかチェックし、送信があればステップＳ６に進んで送信されたチャンネルをＬＥＤ照明灯自身で仮記憶するとともに、ステップＳ８で送信されたチャンネルをＩＣタグに書き込んでステップＳ１０に移行する。
【００４９】
一方、ステップＳ２でＩＣタグにチャンネルデータが書込み済みであればステップＳ１２に進み、ＩＣタグからチャンネルを読み取って記憶し、ステップＳ１０に移行する。また、ステップＳ４でチャンネル設定信号の受信が確認できない場合はステップＳ１４に進み、チャンネルを記憶済みであるかどうかチェックする。そして記憶済みでなければステップＳ１６に進み、リモコンからどのチャンネルでリモコン信号が送信されても対応できるよう全チャンネルを受信可能としてステップＳ１０に移行する。一方、ステップＳ１４でチャンネル記憶済みが検出できた場合は直接ステップＳ１０に移行する。以上によってどのような状態であってもリモコン信号に対応することができる。
【００５０】
ステップＳ１０では、リモコンから信号点灯信号またはなんらかの点灯状態変更信号を受信したかどうかチェックする。受信があればステップＳ１８に進み、現在自チャンネルを認識できる状態にあるかどうかチェックする。自チャンネルを認識できる状態とは、ＬＥＤ照明灯として自チャンネルを記憶している状態を意味する。そして自チャンネル認識可能であればステップＳ２０に進み自チャンネル宛の点灯情報を読み取ってステップＳ２２に進む。
【００５１】
ステップＳ２２では、読み取った点灯情報にＬＥＤ照明灯の途中の部分から点灯状態を変える必要のある複数のリモコン信号が含まれているかどうかチェックする。そして複数の信号が含まれていればステップＳ２４に進み、各ＬＥＤ群個別のＰＷＭ制御を指示してステップＳ２６に移行する。一方、ステップＳ１８で自チャンネルを認識できないときはステップＳ２８に移行し、最大デューティーを設定するとともにステップＳ３０でＬＥＤ照明灯内の全てのＬＥＤ群に共通のＰＷＭ制御を指示してステップＳ２６に移行する。これは自チャンネルが認識できなければ、なんらかの点灯信号である限り、リモコン信号の内容にかかわらず全ＬＥＤ群共通でデューティー１００％の点灯を行うことを意味する。つまり、なんらかのリモコン信号があれば、具体的な指示は不明であっても、消灯信号でない限りはとにかく点灯させることを優先する。
【００５２】
ステップＳ２６では、消灯信号を受信したかどうかチェックする。そして受信がなければステップＳ１０に戻り、以下ステップＳ１０およびステップＳ１８からステップＳ２６を繰り返し、次のリモコン信号に備える。一方、ステップＳ２６で消灯信号の受信を確認したときはステップＳ３２に進み、全ＬＥＤ群を消灯させてステップＳ４に戻る。また、ステップＳ１０で点灯信号または変更信号の受信を検出しないときもステップＳ４に戻る。このようにして、ステップＳ４からステップＳ１０およびステップＳ１４からステップＳ３２の機能によって、種々の状況変化に対応することができる。
【００５３】
図８は、図３の実施例１におけるリモコン６８のリモコン制御部７２の機能を示す基本フローチャートである。フローはリモコン６８への電池挿入などの給電開始によりスタートする。フローがスタートすると、ステップＳ４２でチャンネル設定完了かどうかチェックする。そして設定完了であればステップＳ５０に進む。一方、ステップＳ４２でチャンネル設定完了が検知できないときはステップＳ４６に進み、表示部１６８による「チャンネル未設定」表示の開始を指示し、ステップＳ４８のチャンネル設定処理に入る。そしてチャンネル設定処理が終了するとステップＳ５０に移行する。なお、後述のように、ステップＳ４８のチャンネル設定処理は、設定開始操作が所定時間内に行われなければ直ちに終了する。この場合は、チャンネル未設定状態が継続する。チャンネル設定処理の詳細は後述する。
【００５４】
ステップＳ５０では、点灯操作が行われたかどうかチェックする。点灯操作が検知できなければフローはステップＳ４２に戻り、以下ステップＳ４２からステップＳ５０が繰り返され、点灯操作または必要に応じチャンネル設定操作を待つ。ステップＳ５０で点灯操作が検知されるとステップＳ５２に進み、「分割」または分割の変更の操作が行われたか否かチェックする。これらの操作が検知されなければステップＳ５４に進み、「グラデーション」またはグラデーション変更の操作が行われたか否かチェックする。これらの操作が検知されなければステップＳ５６に進み、点灯信号を送信済みかどうかチェックする。そして送信済みでなければステップＳ５８に進み、全チャンネルにおいて最大デューティーでの点灯を指示する信号の送信を指示してステップＳ６０に至る。これに対し、ステップＳ５６で点灯信号送信済みであることが検知されれば直接ステップＳ６０に移行する。ステップＳ５６は、後述のようにフローがステップＳ５２に戻って再びステップＳ５６に至った時必要となる。
【００５５】
一方、ステップＳ５２で「分割」操作または分割変更操作が行われたことが検知されるとステップＳ６２に進み、チャンネル設定が完了しているかどうかチェックする。そしてチャンネル設定完であればステップＳ６４に進み、分割点灯のための「分割」処理を行ってステップＳ６０に至る。「分割」処理の詳細は後述する。これに対し、ステップＳ６２でチャンネル設定完了が検知できない時は、チャンネル別の制御ができないのでステップＳ５６に移行する。つまり、この場合「分割」／変更操作は無効となる。
【００５６】
また、ステップＳ５４で「グラデーション」操作またはグラデーション変更操作が行われたことが検知されるとステップＳ６６に進み、チャンネル設定が完了しているかどうかチェックする。そしてチャンネル設定完であればステップＳ６８に進み、グラデーション点灯のための「グラデーション」処理を行ってステップＳ６０に至る。「グラデーション」処理の詳細は後述する。これに対し、ステップＳ６６でチャンネル設定完了が検知できない時は、チャンネル別の制御ができないのでステップＳ５６に移行する。つまり、この場合「グラデーション」／変更操作は無効となる。
【００５７】
ステップＳ６０では消灯操作が行われたかどうかチェックする。操作が検知できなければステップＳ５２に戻り、以下、ステップＳ５２からステップＳ６４を適宜繰り返して種々の状況に対応する。この間、何も操作が行われなければ、ステップＳ５２、ステップＳ５４、ステップＳ５６、ステップＳＳ６０を経てステップＳ５２に戻るループを繰り返し、リモコン信号は何も送信されないので、ＬＥＤ照明灯の点灯状態に変化はないことになる。一方ステップＳ６０で消灯操作が検知されるとステップＳ７０において全チャンネルにおける消灯信号の送信が指示され、ステップＳ４２に戻る。以下、適宜ステップＳ４２からステップＳ７０を繰り返して種々のリモコン操作に対応する。
【００５８】
図９は、図８のステップＳ４８におけるチャンネル設定処理の詳細を示すフローチャートである。フローがスタートすると、ステップＳ７２で所定時間内にセットボタン１６２によるチャンネル設定開始操作が行われたかどうかチェックする。操作が検知されるとステップＳ７４に進みデフォルトで所定のチャンネルを指定する。チャンネル設定が行われていないときは図７のステップＳ１６によりＬＥＤ照明灯は全チャンネル受信可能となっているのでデフォルトのチャンネルは何でもよい。次いでステップＳ７６では、表示部タッチパネルの「次ＩＣタグＩＤ選択」部分によりタグＩＤして操作が行われたかどうかチェックし、操作が検知されるとステップＳ７８に進む。一方、ステップＳ７６で操作が検知できないときはステップＳ７４に戻り、以下ステップＳ７４とステップＳ７６を繰り返して操作を待つ。
【００５９】
ステップＳ７８では、ＩＤにより指定されたＩＣタグに対応するＬＥＤ照明灯に点灯信号を送信する。これによってどの位置のＩＣタグが指定されたのかがわかる。そしてステップＳ８０に進み、点灯したＬＥＤ照明灯の位置を確認した上でのチャンネル設定操作を待つ。チャンネル設定操作が検出されるとステップＳ８２に進み、表示部１６８のチャンネル設定状態表示における設定チャンネル数字を点滅させて設定確認表示を行う。次いでステップＳ８４で確認操作を待ち、確認操作を検知するとステップＳ８６に進む。
【００６０】
ステップＳ８６では、上記のようにして確定したチャンネル設定信号を指定ＩＣタグに対応するＬＥＤ照明灯にチャンネル設定信号を送信する。このチャンネル設定信号は図７のステップＳ８により指定ＩＣタグに書き込まれるものである。次いでステップＳ８８では、表示部１６８のチャンネル設定状態表示の点滅を止め、確定したチャンネル数字を表示する。
【００６１】
次いでステップＳ９０では、設定したチャンネルを指定し、ステップＳ９２でその設定チャンネルに消灯信号を送信する。これはステップＳ７８で点灯させたＬＥＤ照明灯を消灯させることに相当するが、チャンネル設定の確認を兼ねてＩＣタグＩＤではなくチャンネル指定によりこの消灯を行うものである。そしてフローはステップＳ９４に進み、全てのＩＣタグがチャンネル設定済みかどうかチェックする。そしてチャンネル未設定のＩＣタグが残っていればステップＳ７４にもどり、次のＩＣタグについてステップＳ７４以下を繰り返す。一方、ステップＳ９４で全チャンネル設定済みが検知されるとフローを終了する。なお、ステップＳ７２で所定時間内のチャンネル設定開始操作が検知できなければ直ちにフローを終了する。
【００６２】
図１０は、図８のステップＳ６４における「分割」処理の詳細を示すフローチャートである。フローがスタートすると、ステップＳ１０２でスライダ位置情報を読み取る。次いでステップＳ１０４で複数種類の点灯信号が指示されているＬＥＤ照明灯の有無をチェックする。これは、スライダがいずれかのＬＥＤ照明灯の途中で点灯状態を変えるような位置にあるかどうかのチェックに該当するのでステップＳ１０２で得られる読取情報から判断できる。なお、「分割」処理の場合、「複数種類」とは点灯信号と消灯信号であり、一つのＬＥＤ照明灯の一部を点灯させ一部を消灯させる場合に該当する。ステップＳ１０４でこのような場合に該当することが検知されるとステップＳ１０６に進み、複数種類の点灯信号を指示しているチャンネルを一つ選択する。
【００６３】
次いでステップＳ１０８では、選択したチャンネルにおいて６つのＬＥＤ群に対してそれぞれ個別に独立した点灯または消灯信号を作成する。さらにステップＳ１１０では点灯させるべきＬＥＤ群に最大デューティーを設定する。そしてステップＳ１１２に進み、複数種類の点灯信号を指示している全てのチャンネルについてステップＳ１０６からステップＳ１１０の処理が完了したかどうかチェックする。処理のチャンネルがあればステップＳ１０６に戻り、次のチャンネルについて同様の処理を行う。一方、ステップＳ１１２で全てのチャンネルについて処理が完了していればステップＳ１１４に移行する。また、ステップＳ１０４で複数種類の点灯信号が指示されているＬＥＤ照明灯が全く検知されなかった時は直ちにステップＳ１１４に移行する。
【００６４】
ステップＳ１１４では、単一種類のリモコン信号つまり点灯または消灯のみを指示しているチャンネルを全て選択する。そしてステップＳ１１６においてこれらのチャンネルについてチャンネル毎に点灯または消灯の信号を作成する。さらにステップＳ１１８では点灯させるべきチャンネルに最大デューティーを設定してステップＳ１２０に移行する。
【００６５】
ステップＳ１２０では、反転操作が行われたかどうかチェックし、操作が検知されるとステップＳ１２２に進んで作成信号を反転させる処理を行ってステップＳ１２４に移行する。一方、ステップＳ１２０で反転操作が検出されないときは直接ステップＳ１２４に移行する。ステップＳ１２４では、以上のようにして作成したリモコン信号を各チャンネルにて送信しフローを終了する。
【００６６】
図１１は、図８のステップＳ６８における「グラデーション」処理の詳細を示すフローチャートである。フローがスタートすると、ステップＳ１３２でスライダ位置情報を読み取る。次いでステップＳ１３４で複数種類の点灯信号が指示されているＬＥＤ照明灯の有無をチェックする。なお、「グラデーション」処理の場合、「複数種類」とは点灯信号と消灯信号のほか互いにデューティーの異なる点灯信号も該当する。ステップＳ１３４でこのような場合に該当することが検知されるとステップＳ１３６に進み、複数種類の点灯信号を指示しているチャンネルを一つ選択する。
【００６７】
次いでステップＳ１３８では、選択したチャンネルにおいて６つのＬＥＤ群に対してそれぞれ個別に独立した点灯または消灯信号を作成する。さらにステップＳ１４０では点灯させるべきＬＥＤ群のそれぞれに指定されたデューティーを設定する。そしてステップＳ１４２に進み、複数種類の点灯信号を指示している全てのチャンネルについてステップＳ１０６からステップＳ１１０の処理が完了したかどうかチェックする。未処理のチャンネルがあればステップＳ１３６に戻り、次のチャンネルについて同様の処理を行う。一方、ステップＳ１４２で全てのチャンネルについて処理が完了していればステップＳ１４４に移行する。また、ステップＳ１３４で複数種類の点灯信号が指示されているＬＥＤ照明灯が全く検知されなかった時は直ちにステップＳ１４４に移行する。
【００６８】
ステップＳ４４では、単一種類の点灯信号を指示しているチャンネルを一つ選択する。次いでステップＳ１４６では、選択したチャンネルに消灯信号を設定すべきかどうかチェックする。該当しなければステップＳ１４８に進み、選択したチャンネルのための点灯信号を作成し指定したデューティーを設定してステップＳ１５０に移行する。一方ステップＳ１４６において選択チャンネルに消灯信号を設定すべきことが検出された時はステップＳ152に進んで消灯信号を作成し、ステップＳ１５０に移行する。ステップＳ１５０では、単一種類の点灯信号を指示している全てのチャンネルについてステップＳ１４４からステップＳ１４８またはステップＳ１５２の処理が完了したかどうかチェックする。未処理のチャンネルがあればステップＳ１４４に戻り、次のチャンネルについて同様の処理を行う。一方、ステップＳ１５０で全てのチャンネルについて処理が完了していればステップＳ１５４に移行する。
【００６９】
ステップＳ１５４では、反転操作が行われたかどうかチェックし、操作が検知されるとステップＳ１５６に進んで作成信号を反転させる処理を行ってステップＳ１２４に移行する。一方、ステップＳ１５４で反転操作が検出されないときは直接ステップＳ１５８に移行する。ステップＳ１５８では、以上のようにして作成したリモコン信号を各チャンネルにて送信しフローを終了する。
【実施例２】
【００７０】
図１２は、本発明の実施の形態に係る照明装置の実施例２におけるＬＥＤ照明灯の詳細構成を示すブロック図である。実施例２のＬＥＤ照明灯における点灯状態の外観図および照明装置を天井に設置した際の配置図は、図１および図２の実施例１と共通である。また要部断面を模式的に示したブロック図も図３の実施例１と共通である。さらにＬＥＤ照明灯の詳細構成についても図４の実施例１と共通の部分が多いので対応する部分には同一の番号を付し、説明は省略する。
【００７１】
図１２に示した実施例２のＬＥＤ照明灯が図４の実施例１と異なるのは、実施例１がＬＥＤ群単位で独立にＰＷＭ制御されていたのに対し、実施例２では白色ＬＥＤの直列接続単位で独立にＰＷＭ制御するようにした点である。これによって、ＬＥＤ照明灯は２４の区分毎に独立して点灯制御可能となり、よりきめ細かく点灯と消灯の区切りを変更できるとともにグラデーションについてもより連続的に変更することが可能となる。このことは、実施例１の図５と実施例２の図１２における第１基板１３８同士を比較するとよりよく理解できる。
【００７２】
具体的に説明すると、第１ＬＥＤ群をなす白色ＬＥＤ直列接続３０２、３０４、３０６および３０８は、それぞれスイッチ素子３１０、３１２、３１４および３１６を介して定電流源３１８、３２０、３２２および３２４に接続されている。これによって、スイッチ素子３１０、３１２、３１４および３１６をそれぞれ個別に制御すれば、白色ＬＥＤ直列接続３０２、３０４、３０６および３０８の点灯状態を個別に制御できる。
【００７３】
スイッチ素子３１０、３１２、３１４および３１６は、それぞれＰＷＭ制御部３２６、３２８、３３０および３３２によりパルス駆動されており、それぞれのＰＷＭ制御におけるデューティーサイクルを１００％からゼロの間で変更することによりフル点灯から消灯の間で白色ＬＥＤ直列接続３０２、３０４、３０６および３０８の明るさを独立に調光できる。ＰＷＭ制御部３２６、３２８、３３０および３３２にそれぞれ個別に与えられるデューティーサイクルは第1個別デューティー制御部１３４が制御する。
【００７４】
第１電源部９４から給電されて第１個別デューティ制御部１３４によって制御される第２基板１４０、第３基板１４２は、第１基板１３８と同一の構成なので簡単のため図示を省略している。また、第２電源部９６から給電されて第２個別デューティ制御部１３６によって制御される他の三つの基盤いついても同様の構成なので第４基板３３４のみを図示し、他は省略するとともに第４基板３３４についても詳細構成の図示を省略している。
【実施例３】
【００７５】
図１３は、本発明の実施の形態に係る照明装置の実施例３におけるＬＥＤ照明灯の詳細構成を示すブロック図である。実施例３のＬＥＤ照明灯における点灯状態の外観図および照明装置を天井に設置した際の配置図についても、図１および図２の実施例１と共通である。また要部断面を模式的に示したブロック図も図３の実施例１と共通である。さらにＬＥＤ照明灯の詳細構成についても図４の実施例１と共通の部分が多いので対応する部分には同一の番号を付し、説明は省略する。
【００７６】
図１３に示した実施例３のＬＥＤ照明灯が図４の実施例１と異なるのは、実施例１がＬＥＤ群単位で独立にＰＷＭ制御されていたのに対し、実施例３では電源部単位で独立にＰＷＭ制御するようにした点である。これによって、ＬＥＤ照明灯は２つの区分に分割して独立に点灯制御可能されることになる。このような実施例３は分割の区分は粗くなるが、電源部単位でＰＷＭを行うのできわめて構成が簡単となるとともに、ＬＥＤ照明灯の半分の長さの単位で独立に調光が可能なので、本発明の利点も享受することができる。このことは、実施例１の図４と実施例３の図１３を比較するとよりよく理解できる。
【００７７】
具体的に説明すると、第１電源部により給電される第１ＬＥＤ群４０２、第２ＬＥＤ群４０４および第３ＬＥＤ群４０６は並列接続によりまとめられ、スイッチ素子４０８を介して定電流源４１０に接続されている。一方、第２電源部９６により給電される第４ＬＥＤ群４１２、第５ＬＥＤ群４１４および第６ＬＥＤ群４１６も並列接続によりまとめられ、スイッチ素子４１８を介して定電流源４２０に接続されている。これによって、スイッチ素子４０８および４１８をそれぞれ個別に制御すれば、第1電源部９４から給電されるＬＥＤ群と第２電源部９６から給電されるＬＥＤ群の点灯状態を個別に制御できる。
【００７８】
スイッチ素子４０８および４１８は、それぞれＰＷＭ制御部４２２および４２４によりパルス駆動されており、それぞれのＰＷＭ制御におけるデューティーサイクルを１００％からゼロの間で変更することによりフル点灯から消灯の間でＬＥＤ群の明るさを電源部単位で独立に調光できる。ＰＷＭ制御部４２２および４２４にそれぞれ個別に与えられるデューティーサイクルは個別デューティー制御部４２６が制御する。
【実施例４】
【００７９】
図１４は、本発明の実施の形態に係る照明装置の実施例４における点灯態様を示す照明装置の天井配置図であり、図２と同様にして天井１３を下から見上げた状態を図示している。実施例４は構成的には実施例１と同様のものである。しかしながら、使用状況が異なり、これに伴ってチャンネルの割当が異なっているので混乱を避けるため実施例４として別途説明する。具体的に述べると、図２の実施例１は、図の左側にプロジェクタの投影スクリーンがあり右側に聴講者の座席がある講演会場の照明や、図の左側に窓があるような部屋の照明等、図の左右で照明条件が異なる場合に好適なものであった。これに対し、図１４の実施例４は図の上下で照明条件が異なる場合に好適なものである。このような状況に伴い、実施例４におけるチャンネルの割当は、ＬＥＤ照明灯２、４、６の列がチャンネル１、ＬＥＤ照明灯１２、１４、１６の列がチャンネル２、ＬＥＤ照明灯２２、２４、２６の列がチャンネル３となっている。
【００８０】
図１４（Ａ）は、図２（Ａ１）と同様のＬＥＤ照明灯の全点灯状態である。この場合、全てのチャンネルを通じて全てのＬＥＤをデューティー１００％で点灯させる信号を送信する。一方、図１４（Ｂ）では、３列のＬＥＤ照明灯列において、ＬＥＤ照明灯２、４、６の列およびＬＥＤ照明灯１２、１４、１６の列が点灯するとともに、ＬＥＤ照明灯２２、２４、２６の列が消灯している。このような点灯状態とするためには、チャンネル１および２を通じてデューティー１００％での全点灯信号を送信し、チャンネル３を通じて消灯信号を送信する。図１４（Ｂ）のような点灯状態は、図１４の下側にプロジェクタの投影スクリーンがあり上側に聴講者の座席がある講演会場の照明等において好適である。
【００８１】
また、図１４（Ｃ）では、３列のＬＥＤ照明灯列において下側に行くほど徐々に暗くなるようなグラデーション照明が行われている様子を示す。このような点灯状態とするためには、チャンネル１を通じてデューティー１００％となる点灯信号を送信し、チャンネル２を通じてデューティー５０％となる点灯信号を送信するとともに、チャンネル３を通じてデューティー１３％となる点灯信号を送信する。図２（Ｃ）のような点灯状態は、図１４の下側に窓があるような部屋の照明等において好適である。
【００８２】
上記のように実施例１および実施例４はチャンネルの設定だけが異なるものであり、縦方向に配列されるＬＥＤ照明灯に共通のチャンネルを割り当てるか、または横方向に配列されるＬＥＤ照明灯に共通のチャンネルを割り当てるかのみ異なるものである。そこで、複数のＬＥＤ照明灯に共通のチャンネルを割り当てるのではなく、個々のＬＥＤ照明灯にそれぞれ個別のチャンネルを割り当てるようにすれば、図２または図１４の点灯状態を自由に制御することが可能となる。このような制御の例は後出の実施例において説明する。
【実施例５】
【００８３】
図１５は、本発明の実施の形態に係る照明装置の実施例５の要部を模式的に示したブロック図であり、図３の実施例１と共通の部分には同一の番号を付し説明は省略する。なお、実施例５におけるチャンネルの割り当ては実施例１と同様にして縦方向に配列されるＬＥＤ照明灯群に共通のチャンネルを割り当てられる。従って、その点灯状態は実施例１と同様にして、図２のような態様となる。ＬＥＤ照明灯列の中央に配されるＬＥＤ照明灯５１４は、図３の実施例１と構成とほぼ同一の構成を持つが、外部との通信は配線５４を通じた高速電力線通信（ＰＬＣ）によっており、電源部６０に接続されたモデムなどのＰＬＣ通信部５６４を備えている。
【００８４】
ＬＥＤ照明灯５１２は、図３の実施例ＬＥＤ照明灯２、１２、２２と同様にしてＬＥＤ照明灯列の右端に配置される。ＬＥＤ照明灯５１２はＬＥＤ照明灯５１４と同様の構成を持つが、さらに右端部に照度センサ５０１を有する。これはＬＥＤ照明灯列の右端部の明るさを測定するためのものである。一方、ＬＥＤ照明灯５１６は、図３の実施例ＬＥＤ照明灯６、１６、２６と同様にしてＬＥＤ照明灯列の左端に配置される。ＬＥＤ照明灯５１６もＬＥＤ照明灯５１４と同様の構成を持つが、さらに左端部に照度センサ５０３を有する。これはＬＥＤ照明灯列の左端部の明るさを測定するためのものである。
【００８５】
ＬＥＤ照明灯５１２、５１４および５１６は上記のようにして一列に配されるとともにその列の両端の明るさを測定する機能を持つ。これは、図２のように部屋の左側窓があり、昼間は左側から外光が入射する場合において、室内の明るさが均一になるような照明を自動的に実現するためである。つまり、昼間において窓側の照度センサ５０３には外光が入射するので窓のない室内側の照度センサ５０１よりも照度が大きくなる。実施例５は、この照度差の自動演算に基づいて図２（２Ｃ）のような点灯をさせることにより、窓側の発光強度を落としてＬＥＤ照明灯と外光との和が窓側と室内側で均等となるよう制御するものである。ＬＥＤ照明灯５１２、５１４および５１６のそれぞれのＰＬＣ通信部は配線５４を通じたＰＬＣ通信により、照度センサの出力を交換したり、点灯の際のデューティー情報をやりとりしたりする。またこのような機能は、照明制御部の一つ（例えばＬＥＤ照明灯５１６の照明制御部５６２）が主制御部となって全ＬＥＤ照明灯を統括する。
【００８６】
なお、実施例５では、縦方向に配列されるＬＥＤ照明灯群に共通のチャンネルを割り当てているので、照度センサ５０１および５０３は、ＬＥＤ照明灯の全ての列の左右端にあるＬＥＤ照明灯に設ける必要はなく、例えば中央のＬＥＤ照明灯列のみに設けて他の列は中央の列に倣って共通チャンネルを通じた同様のデューティー情報で点灯させればよい。なお、個々のＬＥＤ照明灯にそれぞれ個別のチャンネルを割り当てるとともにＬＥＤ照明灯の各列の左右端それぞれ照度センサを設けるようにすれば、各列別にそれぞれ照度差に応じたきめ細かな制御も可能となる。
【００８７】
図１５の実施例５では、上記のようにデューティーの制御はＬＥＤ照明塔５１６の署名制御部５６２等が自律的に行うように構成しているので、スイッチボックス５６８は、操作部５７０の操作に応じスイッチ５７５により配線５４に電力を供給するオンオフ制御のための有線の手元スイッチの機能を担当している。なお、スイッチボックス５６８は、さらに、ＬＥＤ照明灯群に上記のような昼間における外光を考慮した調光制御（以下、「昼間照明モード」と称する）を行わせるか又は単純な同一強度発光（以下、「通常モード」と称する）を行わせるかを切換える信号を操作部５７０に操作に応じて配線５４を通じてＬＥＤ照明灯群に伝達するためのＰＬＣ通信部５７４を有する。
【００８８】
なお、実施例５は、直結されるＬＥＤ照明灯列の左右端の照度センサの情報交換およびそれに基づく自動調光制御に好適なので、ＰＬＣ通信によるものとして構成した。しかし情報交換はＰＬＣ通信によるものに限るものではなく、ＬＥＤ照明灯照明灯間の専用通信線によって情報交換を行うよう構成してもよい。また、実施例５のような照度センサに基づく自動調光制御は、ＬＥＤ照明灯同士の情報交換によるものに限るものではなく、またその制御をＬＥＤ照明灯自身で自律的に行わせるものに限るものではない。例えば図３の実施例１と同様にして、照度センサの情報交換を無線通信部によって行うようにするとともに、情報交換はリモコン６８のリモコン制御部７２を経由し、且つ照度センサ情報の比較処理や点灯のデューティー制御もリモコン制御部７２によって統括的に行うようにしてもよい。
【００８９】
図１６は、図１５の実施例５におけるＬＥＤ照明灯５１６の照明制御部５６２等の機能を示すフローチャートである。フローはスイッチ５７５によってＬＥＤ照明灯５１６に給電が開始されることによってスタートする。なお、このフローは、図１５の構成どおり照度センサの情報交換はＬＥＤ照明灯同士で直接行うとともに照度センサ情報の比較処理や点灯のデューティー制御をＬＥＤ照明灯自身で自律的に行わせるよう構成したものについてのものである。
【００９０】
フローがスタートすると、まずステップＳ１６２で準備処理が完了しているかどうかチェックする。そして未完ならばステップＳ１６４の準備処理を経てステップＳ１６６に移行する。一方、準備処理が完了していれば直接ステップＳ１６６に移行する。ステップＳ１６４の準備処理は、どのＬＥＤ照明灯を主ＬＥＤ照明灯としてその制御部として統括制御を行うかの決定を行うとともに、照度センサで部屋の明るさを測定するにあたりＬＥＤ照明灯自身の発光による照度寄与分を補正してＬＥＤ照明灯以外の明るさを測定できるようにするためのものである。その詳細は後述する。
【００９１】
ステップＳ１６６では、自身が主ＬＥＤ照明灯であるかどうかチェックする。そして主照明灯である場合はステップＳ１６８に進み、ＬＥＤ照明灯がスイッチボックスからの操作に基づいて昼間照明モードに設定されているかどうかチェックする。昼間照明モードであればステップＳ１７０で窓側照度センサによる測光を行わせる。このときＬＥＤ照明灯は点灯されていないから消灯時の測光となる。そしてステップＳ１７２において、消灯時窓側照度が所定以上かどうかチェックする。消灯時窓側照度が所定以上あれば、昼間において部屋の窓側と室内側で外光による有意な照度差が生じていることを意味するからステップＳ１７４に進み、消灯時の室内側照度センサによる測光を行わせる。
【００９２】
以上のようにして消灯時の窓側および室内側の測光を行った上、ステップＳ１７６においてそれらの測光値に基づき、消灯時測光差を演算する。そして演算された消灯時測光差に基づきステップＳ１７８において各チャンネル用の個別デューティー情報を暫定的に決定して送信する。その上でステップＳ１８０にて各チャンネルに点灯信号を送信する。これによって各ＬＥＤ照明灯は各チャンネル別の暫定デューティー情報に基づき、図２（Ｃ２）のような態様で点灯する。
【００９３】
さらにステップＳ１８２では、点灯中の窓側および室内側の照度センサによる測光を行わせ、ステップＳ１８４でそれらの測光値に基づき点灯中の測光差を演算する。そしてステップＳ１８６で差が所定以上かどうかチェックし、差が所定以上であればステップＳ１８８で各チャンネルにこの差を解消するための修正デューティー情報を送信しステップＳ１８２に戻る。以下、ステップＳ１８６で所定以上の差が検知される限りステップＳ１８２からステップＳ１８８を繰り返しでデューティーを修正する。そしてステップＳ１８６で差が所定以下となるとフローを終了する。以上のように、ステップＳ１７０およびステップＳ１７４からステップＳ１７８によって点灯前の段階でデューティーを演算により決定するとともに、ステップＳ１８２からステップＳ１８８では点灯中の明るさを実測してデューティーを修正する。
【００９４】
なお、ステップＳ１６８で昼間照明モード設定が検知されない時、または昼間照明モードに設定されている場合でもステップＳ１７２において消灯時の窓側照度が所定以下であるとき（つまり夜間等で窓側と室内側で消灯時の明るさに差がないとき）はステップＳ１９０に進み、全チャンネルに同一デューティー情報を送信するとともに、ステップＳ１９２で各チャンネルに点灯信号を送信してフローを終了する。また、ステップＳ１６６で自身が主ＬＥＤ照明灯であることが検知されないときはステップＳ１９４に進み、他のＬＥＤ照明灯からの指示を待つ受動設定をしてフローを終了する。
【００９５】
なお、実施例４では、昼間照明モードにおいて一旦室内の均一照明状態が実現された後も、所定時間毎に割り込み信号を発生させ、この割り込み信号に応答してステップＳ１８２からステップＳ１８８を繰り返させるよう構成される。これによって、時間の経過や天候の変化による外の明るさの変化に常時対応してデューティーを変化させ、室内の照度の均一性を保持することができる。
【００９６】
図１７は、図１６のステップＳ１６４における準備処理の詳細を示すフローチャートである。フローがスタートするとステップＳ２０２で同一ＬＥＤ照明灯列における窓側端および室内側端のＬＥＤ照明灯間の交信が可能な状態かどうかチェックする。交信ができればステップＳ２０４で自身が照度センサを搭載しているＬＥＤ照明灯かどうか確認する。そして照度センサ搭載ＬＥＤ照明灯であればステップＳ２０６において消灯時における測光情報を交換し、ステップＳ２０８で最大照度が所定以上かどうかチェックする。これは、準備処理を充分な外光がある昼間に行うためのものである。
【００９７】
ステップＳ２０８において所定以上の最大照度が検知されたときはステップＳ２１０に進み、交換した照度センサの測光値に有意差があるかどうかチェックする。これは、昼間照明モード制御を行う意義があるほどの外光による照度差が窓側と室内側で生じているかどうかを確認するためである。そして有意差があればステップＳ２１２に進み、自身が最大照度側の照度センサ（つまり窓側照度センサ）を搭載しているＬＥＤ照明灯かどうかチェックする。そして該当すればステップＳ２１４で自身を主ＬＥＤ照明灯に設定する。
【００９８】
次いでステップＳ２１６以下において主ＬＥＤ照明灯としての機能を実行する。まずステップＳ２１６では、全チャンネルに同一デューティー情報を送信するとともにステップＳ２１８で各チャンネルに点灯信号を送信する。そしてステップＳ２２０で点灯中の測光情報を交換する。以上によって得られた情報に基づき、ステップＳ２２２では、窓側および室内側のそれぞれの照度センサについて点灯時と消灯時の差を演算する。つまりこの差がＬＥＤ照明灯自身の発光による照度センサ出力への影響分となる。そこでステップＳ２２４では、窓側および室内側のそれぞれの照度センサに関するＬＥＤ照明灯自身の発光による照度センサ出力への影響分を記憶する。この記憶値は、図１６のステップＳ１８４における点灯中測光差演算において補正値として利用される。以上で補正値の決定ができたのでステップＳ２２６において各チャンネルに消灯信号を送信するとともに、ステップＳ２２８で準備処理完了のフラグをたててフローを終了する。
【００９９】
一方、ステップＳ２０４で自身が照度センサ搭載ＬＥＤ照明灯でなかったとき、またはステップＳ２１２で自身が窓側照度センサ搭載ＬＥＤ照明灯でなかったときはステップＳ２３０に進み、自身を従ＬＥＤ照明灯に設定してステップＳ２２８に移行する。また、ステップＳ２０２において同一ＬＥＤ照明灯列における窓側端および室内側端のＬＥＤ照明灯間の交信が可能な状態であることが確認できなかったときは、照度センサ同士の測光情報交換ができない状態であることを意味するので、ステップＳ２３２に進み、自身を主照明灯に設定するとともにステップＳ２３４で昼間照明モードを禁止し、ステップＳ２３６で準備処理が未完である旨のフラグを立ててフローを終了する。これによって、準備処理未完で準備処理を終了しても図１６においてステップＳ１６６からステップＳ１９０に進み点灯状態に入ることができる。
【０１００】
なお、ステップＳ２０４またはステップＳ２１２の判断においていずれのＬＥＤ照明灯を主とするかはルールの問題なので、以上のように窓側照度センサ搭載ＬＥＤ照明灯を主ＬＥＤ照明灯とする場合に限らず、照度センサを搭載しないＬＥＤ照明灯または、室内側照度センサ搭載ＬＥＤ照明灯を主ＬＥＤ照明灯とするべく図１７を設計変更するとも可能である。要は、どのＬＥＤ照明灯を主とするかが重要なのではなく、どれかのＬＥＤ照明灯が間違いなく主ＬＥＤ照明灯として機能するよう混乱なしに決定することが重要である。
【０１０１】
以上、実施例５は、実施例１と同様にして縦方向に配列されるＬＥＤ照明灯群に共通のチャンネルを割り当てた場合を説明し、その点灯状態は図２のような態様となるものについて説明した。しかし、実施例５のような照度センサによる自動調光は、これに限られるものではない。例えば、図１４の実施例４のようにＬＥＤ照明灯２、４、６の列がチャンネル１、ＬＥＤ照明灯１２、１４、１６の列がチャンネル２、ＬＥＤ照明灯２２、２４、２６の列がチャンネル３となるようチャンネル割当行った場合でも同様の自動調光は可能である。この場合、窓側照度センサを例えばＬＥＤ照明灯２４に設けるとともに、室内側照度センサを例えばＬＥＤ４に設けるようにすれば、窓側および室内側の照度センサの測光差により図１４（Ｃ）のような態様の調光が可能となる。
【実施例６】
【０１０２】
図１８は、本発明の実施の形態に係る照明装置の実施例６の要部を模式的に示したブロック図であり、図３の実施例１と共通の部分には同一の番号を付し説明は省略する。実施例６も、窓側と室内側における外光の影響を加味し、図２（Ｃ２）または、図１４（Ｃ）のような点灯態様を実現するためのものである。図１８から明らかなように、ＬＥＤ照明灯２、４、６の構成およびリモコン６８の構成は、図３の実施例１と共通である。図１８の実施例６の特徴は、部屋の照度センサ６０１を有する第１照度センサ部６０２、および部屋の室内側に照度センサ６０３を有する第２照度センサ部６０４が設けられていることである。第１照度センサ部６０２および第２照度センサ部６０４はそれぞれ無線通信部６０５および無線通信部６０６によりリモコン６８の無線通信部７４と通信しており、照度測定結果を報告している。
【０１０３】
図１５の実施例５の場合、照度センサが光源側のＬＥＤ照明灯に設けられている。従って構成がＬＥＤ照明灯側にまとまって簡単となる反面、実際に照明される部分に入射する照度を測定しているわけではないので、間接的な測光情報に基づく推定によりＬＥＤ照明灯のデューティーを決定することになる。これに対し、図１８における実施例６の照度センサ６０１および６０３は、部屋の机の面等、実際に照明される部分に直接配置される。従って、部屋の窓側の机上と室内側の机上の照度差を実測しており、双方における外光とＬＥＤ照明灯の光の和が机上において等しくなるようにＬＥＤ照明灯の調光を行うことが可能となる。
【０１０４】
図１８の実施例６における測光差の演算および各チャンネルを通じたデューティーの制御はリモコン制御部７２が行う。その制御フローは図１６のステップＳ１８２からステップＳ１８８を繰り返すことによる。なお、実際に証明される部分の実測値による制御なので、図１７のステップＳ２２２およびステップＳ２２４におけるような補正値を求めておく必要もない。
【０１０５】
なお、以上の実施例５および実施例６は、簡単のため、それぞれ部屋の片側のみ窓があり反対側を窓のなお室内側として説明したが、上記の本発明の特徴はこのような場合に限られるものではない。例えば部屋の両側に窓があり、昼間において照明なしでは部屋の両側の窓際が明るく部屋の中央部が暗くなるような場合にも適用できる。この場合、窓に垂直にＬＥＤ照明灯列が走っているときの点灯態様を図１（Ｃ３）のような状況とする調光制御となる。このような調光制御を実現するためには、実施例５または実施例６の制御を部屋の半分側に用い、残りの半分側の制御についてこれを鏡面的に逆転させた点灯態様となるような制御を採用すればよい。この場合は、言うまでもないが、部屋の中央のＬＥＤ照明灯または机上にも照度センサが必要となる。
【実施例７】
【０１０６】
図１９は、本発明の実施の形態に係る照明装置の実施例７における点灯態様を示す照明装置の天井配置図であり、図２と同様にして天井１３を下から見上げた状態を図示している。実施例７も基本的な構成的は実施例１と同様のものである。但し、チャンネルはＬＥＤ照明灯毎に異なったものが割り当てられているとともに、それに対応した制御手段を持っている。制御手段の詳細は後述するが、まず図１９によって点灯態様とその意義について説明する。なお、図１９（Ａ）は、図２（Ａ１）と同様のＬＥＤ照明灯の全点灯状態である。この場合、全てのチャンネルを通じて全てのＬＥＤをデューティー１００％で点灯させる信号が送信されている。
【０１０７】
これに対し図１９（Ｂ）では、ＬＥＤ照明灯１４の４／６を占める中心部がデューティー１００％で点灯しているとともに、両端の１／６がそれぞれデューティー５０％で点灯している。これに対し、ＬＥＤ照明灯１４を挟むＬＥＤ照明灯４およびＬＥＤ照明灯２４における中央のデューティー１００％領域は、それぞれＬＥＤ照明灯１４よりも狭くなっている。以下、ＬＥＤ照明灯１４の中央部を中心にほぼ同心円的に、周囲に離れるほどデューティーが小さくなるような点灯状況となっている。
【０１０８】
このような図１９（Ｂ）の点灯態様は、例えば、広い部屋においてＬＥＤ照明灯１４の直下にしか人がおらず、周囲を照明する必要性が低い場合において好適である。例えば、図１９（Ａ）は広い居室に全員が着席勤務している状態の照明状況であり、図１９（Ｂ）はＬＥＤ照明灯１４直下の人が残業勤務をしており周囲の人は帰宅した状況である。同様の目的のために、広い部屋の照明灯に個別スイッチをつけ、人がいない部分の照明灯のスイッチをオフにすることも考えられるが、図１９（Ｂ）のようなグラデーションによるほうが、穏やかな照明環境を提供できる。
【０１０９】
図１９（Ｃ）は人のいる場所がＬＥＤ照明灯２と４の中間点にある場合の例であり、この点を中心に、ほぼ同心円的に、周囲に離れるほどデューティーが小さくなるような点灯状況が実現されている。なお、図１９では、中心となる点を一つにして説明したが、デューティー１００％となる中心点が部屋の中に複数散在する場合であっても実施例７の制御は可能である。この場合は複数の中心点の周囲に、それぞれほぼ同心円的に、周囲に離れるほどデューティーが小さくなるような点灯状況が合成された照明態様となる。
【０１１０】
図２０は、図１９の照明態様を実現する実施例７の要部を模式的に示したブロック図であり、図３の実施例１と共通の部分には同一の番号を付し説明は省略する。図２０から明らかなように、ＬＥＤ照明灯２、４、６の構成は、図３の実施例１と共通である。図２０の実施例７の特徴は、図１９のような照明態様を実現するために部屋の要所に人感センサ部を設けた点にある。このような人感センサ部は複数の人が勤務する大部屋の照明などの場合、各人の机に配置し、各人が着席しているかどうかを個別に確実に把握するものが望ましい。また、この場合、各人感センサ部の位置とＬＥＤ照明灯との関係は予めＩＤにより登録しておく。
【０１１１】
具体的に説明すると、第１人感センサ部７０２はＬＥＤ照明灯２の照明範囲の人の着席を検知する人感センサ７０４を有し、検知の有無を無線通信部７０６から送信する。一方、第２人感センサ部７０８はＬＥＤ照明灯４の照明範囲の人の着席を検知する人感センサ７１０を有し、検知の有無を人感センサ制御部７１２に報告する。人感センサ制御部７１２は無線通信部７０６から無線通信部７１４経由で人感センサ７０４の検知の有無の報告を受ける。さらに、第３人感センサ部７１６はＬＥＤ照明灯６の照明範囲の人の着席を検知する人感センサ７１８を有し、検知の有無を無線通信部７２０か無線通信部７１４経由で人感センサ制御部７１２に報告する。図示は省略するが同様の第１人感センサ部が室内の各要所に設けられ、それぞれ人の存否を人感センサ制御部７１２に無線通信により報告する。なお、各人感センサ部から人感センサ制御部７１２への報告は無線通信によらず有線通信であってもよい。
【０１１２】
人感センサ制御部７１２は、以上のように各要所からの人の存否報告を受け、図１９（Ｂ）または（Ｂ）のように人がいる場所を中心として同心的に周囲が暗くなるグラデーション照明またはその合成である照明態様を決定し、無線通信部７１４から各チャンネルを経由した各ＬＥＥＤ照明灯への無線通信によって点灯信号およびデューティー信号を送信する。なお、第２人感センサ部７０８には操作部７２２が設けられ、図３のリモコンのように手動の制御信号を各ＬＥＥＤ照明灯に送信することもできる。
【０１１３】
なお、上記実施例７では第２人感センサ部７０８は、人感センサ部と制御部を兼ねているが、本発明の実施はこれに限られるものではない、例えば、第２人感センサ部７０８の機能を分離し、第２人感センサ部７０８自体は他の人感センサ部と同様の検知および無線通信報告のみの構成とするとともに、各人感センサ部からの報告を受けて制御をおこなう制御機能については図３のリモコン６８のような専用の制御部構成としてもよい。また、上記実施例７では人感センサ部を人に近い机等に配置しているが、これをＬＥＤ照明灯側に設け、ＬＥＤ照明灯直下の人の存否を判断するようにしてもよい。
【０１１４】
なお、上記各実施例は、説明をわかりやすくするためにそれぞれ別の特徴を有するごとく説明したが、これら一つの実施態様において複数の特徴を兼ね備えた形で実施することを妨げるものではない。例えば、実施例４または実施例５における照度センサに基づく制御と実施例６の人感センサに基づく制御を兼ね備えた実施態様や、これらの特徴を選択可能なモードとして備えた実施態様も可能である。
【産業上の利用可能性】
【０１１５】
本発明は、天井照明など複数の照明灯による照明に好適な照明灯および照明装置を提供するものである。
【符号の説明】
【０１１６】
８２、３０２、４０２〜４０６  第１ＬＥＤ群
８４、３０４、４１２〜４１６  第２ＬＥＤ群
９８、１２２、３１０，３２６、４０８、４２２  第１制御部
１００、１２４、３１２、３２８、４１８、４２４  第２制御部
６４、５６４  信号入力部
９４  第１電源部
９６  第２電源部
１３８  第１基板
１４０  第２基板
３０２、３０４  直列接続ＬＥＤ群
８２、３０２、４０２〜４０６  列状の第１発光部
８４、３０４、４１２〜４１６  列状の第２発光部
６８、５６２、７０８  司令部
５０１、５０３、６０１、６０３  測光部
７０４、７１０、７１８  目標位置決定手段
８２、８４、３０２、３０４、４０２〜４０６  ４１２〜４１６  複数の発光部
９８、１２２、３１０，３２６、４０８、４２２  第１制御部
１００、１２４、３１２、３２８、４１８、４２４  第２制御部
５６２  補正手段
７０４、７１０、７１８  人の存否を感知する手段
【図１】
0005643489.tif 000002
【図２】
0005643489.tif 000003
【図３】
0005643489.tif 000004
【図４】
0005643489.tif 000005
【図５】
0005643489.tif 000006
【図６】
0005643489.tif 000007
【図７】
0005643489.tif 000008
【図８】
0005643489.tif 000009
【図９】
0005643489.tif 000010
【図１０】
0005643489.tif 000011
【図１１】
0005643489.tif 000012
【図１２】
0005643489.tif 000013
【図１３】
0005643489.tif 000014
【図１４】
0005643489.tif 000015
【図１５】
0005643489.tif 000016
【図１６】
0005643489.tif 000017
【図１７】
0005643489.tif 000018
【図１８】
0005643489.tif 000019
【図１９】
0005643489.tif 000020
【図２０】
0005643489.tif 000021